(57)【要約】【課題】  自分の体型や座席のサイズ等のニーズに合わせてクッションを手軽にカスタマイズする、多用途に利用できる。【解決手段】  座部２のカバーシート４の臀部が着座する側の表面の左右上部領域の表面にはスナップボタン式の連結具４ａが設けられ、背凭れ部３は、複数個（ここでは３個）のパッド６〜８に、それぞれ、分解可能に連結され、それぞれのパッド６〜８には、それぞれのカバーシート４の左右頂部及び底部に、それぞれ、一対のスナップボタン式の連結具４ｂ，４ｃを備えている。【選択図】  図１
2016043062.tif 000002
【特許請求の範囲】
【請求項１】
表面が曲面から構成されており、多数の通気孔を有するカバーシートによりクッションを覆った座部及び背凭れ部を有し、シートの上に載せることが可能な形状を備えたシートクッションであって、
前記座部及び背凭れ部は、多数の孔が形成されたカバーシートの裏側に第１クッションが積層されて縫製により一体化され、側面にファスナー部を設け、第２クッションを収容可能としたものであり、
前記背凭れ部が前記座部に分解可能に連結され、
前記背凭れ部が複数のパッドに分解可能で、相互に連結可能である、
ことを特徴とするシートクッション。
【請求項２】
複数のパッドが相互に連結具により連結される請求項１又は２のシートクッション。
【請求項３】
前記連結具がスナップボタンであり、前記パッドの前記上部凹部及び下部凹部を除く端部領域の左右上部に１対、及び、前記端部領域の左右下部に１対設けられる請求項１のシートクッション。
【請求項４】
前記第２クッションは、少なくとも３層のマットが積層されたものであり、前記マット通気度及び弾性反発力が相違するように構成された請求項１乃至３いずれかに記載のシートクッション。
【請求項５】
前記第２クッションは、三次元立体網状構造体マット、第１クッションマット、第１クッションマットとは弾性反発力が相違する第２クッションマットが積層されている請求項１乃至４いずれかに記載のシートクッション。
【請求項６】
前記第１クッションシート及び第２クッションシートは、ポリエチレン高発泡体であることを特徴とする請求項１乃至５のいずれか一項に記載のシートクッション。
【請求項７】
前記カバーシートはメッシュ編地であることを特徴とする請求項１乃至６のいずれかに記載のシートクッション。
【請求項８】
前記カバーシートはダブルラッセル立体編地であることを特徴とする請求項１乃至７のいずれかに記載のシートクッション。
【請求項９】
前記パッドは上部中央に上部凹部、下部中央に下部凹部を有する請求項１乃至８いずれかに記載のシートクッション。
【発明の詳細な説明】
【技術分野】
【０００１】
本発明は乗物のシート（座席）又は椅子等に取り付け可能なシートクッションに関し、特に、着座者の人体的特性の相違、好みを調整できるようにして、着座を快適に行い、背中や腰の疲労を低減し、さらに発汗等による蒸れを防止できるシートクッションに関する。
【背景技術】
【０００２】
乗物等のシートは、使用者が快適な運転、仕事等をできるように、形状、材質等に工夫を加えられたシートが装着されている。特許文献１〜４に記載されているように、シート、或いは、背凭れ部を分割する各種のシート或いはシートクッションの提案が行われている。
【０００３】
特許文献１は、車内のスペースの関係上、セミフラットにしかアレンジできないセカンドシートやサードシートでも、後いっぱいに倒すことの出来るシートを提案している。ほぼ完全なフルフラット状にアレンジすることができるので、楽に横たわって休憩や仮眠、それに車中泊も可能となる。従って、比較的、車室の狭いミニカーやコンパクトカーにおいても、セミフラットにしかアレンジできないシートでも、ほぼ完全なフルフラット状にアレンジできることを目的に考案したものである。セカンドシートの背もたれ部分を、分割状に着脱できるように作製し、フルフラット時にはリアゲートにかかる部分を、後いっばいまでに倒れるように、背もたれの余る部分を着脱式で外せるように構成したものである。
【０００４】
特許文献２は、着席状態において幼児を適切な姿勢で保持することができるチャイルドシート用のクッションを提供するため、チャイルドシート２上に配置される頭部パッド１０、背部パッド３０及び臀部パッド５０を具備するクッション１において、頭部パッド１０には、頭部パッド１０の下縁に沿って突出する頸支持部１２と、頭部パッド１０の左右方向両端に向かって上り勾配を描くように傾斜する一対の側頭支持面１４とを設ける。背部パッド３０には、背部パッド３０の左右方向両端に向かって上り勾配を描くように傾斜する一対の脇支持面３２を設ける。臀部パッド５０には、臀部パッド５０の後端から前方に向かって上り勾配を描くように傾斜する臀支持面５１と、臀部パッド５０の左右方向両端に向かって上り勾配を描くように傾斜する一対の膝支持面５２とを設ける。
【０００５】
特許文献３は、シートバックの上部が下部に対して前方へ傾動できる車両用シートにおいて、簡単な構成により、上下部間の分割線及びそれらの分離部分が外面に現れないようにして、シートバック背面の見栄えを向上させるため、車両用シート１におけるシートバック２の内部本体が上部４と下部５とに分割されて、上部４が下部５に対し前方へ傾動できるように構成され、上部４及び下部５の側面分割線６と背面分割線７とを覆う表皮３の耳部８及び背部９が、表皮３の他の部分１０よりも伸縮性が大きい材料で一体的に形成されて、耳部８及び背部９の縁部と他の部分１０の縁部とが縫製されている。
【０００６】
前記したように、シート又はシートクッションとしては各種のものが提案され、使用されている。
【先行技術文献】
【特許文献】
【０００７】
【特許文献１】特開平１０−３０５７４４号公報
【特許文献２】特開２００７−１２５９３５号公報
【特許文献３】特開平９−２９４６５０号公報
【発明の概要】
【発明が解決しようとする課題】
【０００８】
しかしながら、既存製品が自分の体に合わないと感じている人も多く、自分の体型や座席のサイズ等のニーズに合わせてクッションを手軽にカスタマイズすることができず、それぞれの生活環境に合わせた最適な選択を行うことができない。必要最小限の部位を支えるコンパクトで軽量な設計ではない。例えば、女性でも軽く持ち上げることができ、車からオフィスの椅子へ楽々付け替える等、扱いが手軽にできない。
【０００９】
ドライブ、事務作業、車椅子等、生活上の様々な場面で使用が困難であり、座ること全般に使用できる設計思想ではない。例えば、ドライバー、事務職、車椅子の方等、１日の中で長時間に渡って座る方全般への利用が困難である。すなわち、上記の従来技術は、それぞれ、自動車用、あるいは、幼児用であり、その用途が限定されているため、その用途限りの利用に留まっている。
【００１０】
体圧分散、姿勢矯正による健康への貢献が少なく、科学的な見地に基づく訴求が難しい。さらに、着座時の姿勢に不安がある人は、姿勢を矯正したい、長時間の着座を強いられ、日常的に疲労を感じ、これを軽減したい、痔などお尻にトラブルを抱えている人は痛みを緩和したい、お産の後の腰まわりからお尻までの負担を軽減したい等、様々な要望がある。
【００１１】
洗練されたデザインが魅力のヒューマンサポートギアを提供して欲しいという要望もある。
【００１２】
着席者が安定的に着席することができ、長時間の着座における蓄積疲労を低減するといった観点からも未だ十分ではない。
【課題を解決するための手段】
【００１３】
そこで、本発明は、自分の体型や座席のサイズ等のニーズに合わせてクッションを手軽にカスタマイズすることができること、それぞれの生活環境に合わせた最適な選択を行うことができること、必要最小限の部位を支えるコンパクトで軽量な設計とすること、ドライブ、事務作業、車椅子等、生活上の様々な場面で使用を可能とすること、体圧分散、姿勢矯正による健康への貢献できること、洗練されたデザインが魅力のヒューマンサポートギアを提供すること、着席者が安定的に着席することができ、長時間の着座における蓄積疲労を低減することにある。
【００１４】
本発明は、表面が曲面から構成されており、多数の通気孔を有するカバーシートによりクッションを覆った座部及び背凭れ部を有し、シートの上に載せることが可能な形状を備えたシートクッションであって、前記座部及び背凭れ部は、多数の孔が形成されたカバーシートの裏側に第１クッションが積層されて縫製により一体化され、側面にファスナー部を設け、第２クッションを収容可能としたものであり、前記背凭れ部が前記座部に分解可能に連結され、前記背凭れ部が複数のパッドに分解可能で、相互に連結可能である、ことを特徴とするシートクッション。本発明は自動車等の乗物のシート、又は椅子等、背もたれと座ることを目的とする対象物に適用される。
【００１５】
これにより、パッドの個数を自由に使い分けられる。パッドの分解は、スナップ式ボタンでもよいし、ストラップがあって吊るような構成でもよい。背凭れ部が分解可能であるので、背凭れ部の高さを自由に変更できる。座部に連結する背凭れ部のパッドの数を調整することで、自動車用、椅子用など、シートクッションを多用途に利用できる効果がある。また、パッドの数を調整することで、身長、体重の相違点を克服することができる。
【００１６】
複数のパッドが相互に連結具により連結されることが好ましい。
【００１７】
前記連結具がスナップボタンであり、前記パッドの前記上部凹部及び下部凹部を除く端部領域の左右上部に１対、及び、前記端部領域の左右下部に１対設けられることが好ましい。これにより座部と背凭れ部を簡単に分解できる。
【００１８】
前記第２クッションは、少なくとも３層のマットが積層されたものであり、前記マット通気度及び弾性反発力が相違するように構成されることが好ましい。背凭れ部の厚みと硬さを変えることができる。通気のいい立体網状構造体と、反発弾性の相違するものを組み合わせてあるので、マットの積層の順番や枚数を使用者が好きなように変更できる。
【００１９】
前記第２クッションは、三次元立体網状構造体マット、第１クッションマット、第１クッションマットとは弾性反発力が相違する第２クッションマットが積層されていることが好ましい。前記クッションとしては、ポリエチレン高発泡体が好ましい。そして、パッドの内部には、反発弾性が異なる３種以上のクッションを重ね合わせて収納していることが好ましい。
【００２０】
前記第１クッションシート及び第２クッションシートは、ポリエチレン高発泡体であることが好ましい。
【００２１】
前記カバーシートはメッシュ編地であることが好ましい。シートクッションとしての通気性を確保して、汗などによるムレなどを防ぐことができる。
【００２２】
前記カバーシートはダブルラッセル立体編地であることが好ましい。
【００２３】
前記パッドは上部中央に上部凹部、下部中央に下部凹部を有することが好ましい。これにより、各パッドの間に空間が形成され、空気の流通が良好になり、快適性を提供できる。マッサージ効果もある。
【００２４】
前記シートクッションは一態様において、カバーシートの内部全体に第２クッションが収納され、前記棒状のクッションは、長手方向に垂直な断面において荷重がかかる側に丸みを有し、背凭れ部の左右２つの領域の第２クッションに芯材として内包されており、座部の第２クッションも芯材を内包しており、座部に内包された芯材は、該芯材を含まない部分の第２クッションに比べて反発弾性が高いシートクッションでもよい。
【００２５】
前記シートクッションは別の態様において、カバーシートの内部全体にクッションが収納され、座部の左右２つの領域の第２クッションに芯材として内包されていてもよい。座部の第２クッションも断続的又は連続的に棒状の芯材を内包し、座部に内包された芯材は、該芯材を含まない部分の第２クッションに比べて反発弾性が高いシートクッションでもよい。
【００２６】
前記シートクッションはさらに別の態様において、カバーシートの内部においてさらに、側部領域と座部の上部外縁と座部の前側周縁とからなる周縁部の略全周、及び、座部の仮想線に沿った部分にクッションが配置されているものでもよい。前記シートクッションはとりわけ、内部に収納された合成樹脂高発泡体から成るクッションと、該クッションを覆い多数の貫通通気孔を有するカバーシートとから成る座面部を有するシートクッションであって、内部に収納されたクッションは、シートクッションの周縁部の略全周と、座面部の中央前後方向において人体に当接する上下方向とに、部分的に配置されているシートクッションであってもよい。
前記カバーシートはメッシュ編地であることが好ましく、ダブルラッセル立体編地であることがより好ましい。
【図面の簡単な説明】
【００２７】
【図１】本発明の実施形態のシートクッションの正面側からの斜視図である。
【図２】同上シートクッションの背面図である。
【図３】同上シートクッションの正面図である。
【図４】同上シートクッションの平面図である。
【図５】同上シートクッションの左側面図である。
【図６】同上シートクッションの分解斜視図である。
【図７】図１のＡ-Ａ断面図の模式図である。
【図８】同上シートクッションのパッドを裏返した状態の斜視図である。
【図９】同上シートクッションのパッドを裏返した状態の別の面からの斜視図である。
【図１０】同上シートクッションのパッドの分解斜視図である。
【図１１】同上シートクッションの使用状態を示す斜視図である。
【図１２】シートクッションにオプションとして頭部クッションを取り付けた使用状態を示す斜視図である。
【図１３】シートクッションにオプションとして頭部クッションを取り付けた使用状態の裏側からの斜視図である。
【図１４】同上シートクッションのパッドを３個から２個に減らした斜視図である。
【図１５】図１４に示す同上シートクッションを椅子に装着した使用状態説明図である。
【図１６】座部の変更形態の縦断面図（図７と同様の断面で切断）である。
【図１７】座部の別の変更形態の縦断面図（図７と同様の断面で切断）である。
【発明を実施するための形態】
【００２８】
本発明の実施の形態を以下詳細に説明する。
【００２９】
本発明の実施形態の図１に示すシートクッション１は、図１１に示す自動車のシート９０に装着したり取り外しが可能であるし、或いは、図１５に示す通り、椅子９９にも装着したり取り外しが可能である。自動車のシート９０用、或いは、椅子９９用いずれか専用に利用することも可能であるし、その他、車椅子等にも適用が可能である。また、自動車のシート９０用、或いは、椅子９９用等に相互に転用が可能でもある。図１２、図１３に示す通り、オプションで、バックル９１付きの取付紐又は取付ベルト９２で頭部クッション９３を取り付けることにより、シート９０の支柱９４に取り付けたヘッドレスト９５に装着できる。以下、シートクッション１について図面を参照して詳細に説明する。
【００３０】
シートクッション１は、図１〜図６に示す通り、座部２と背凭れ部３とから成っており、表面の形状が曲面から構成されており、表裏面の全体は通気孔を有するメッシュ編地から成るカバーシート４で覆っている。座部２と背凭れ部３とは、分解可能に構成され、相互に連結できるようになっている。
【００３１】
座部２のカバーシート４の臀部が着座する側の表面の左右上部領域の表面にはスナップボタン式の連結具４ａが設けられている。背凭れ部３は、複数個（ここでは３個）のパッド６〜８に、それぞれ、分解可能に連結されている。そのため、それぞれのパッド６〜８には、それぞれのカバーシート４の左右頂部及び底部に、それぞれ、一対のスナップボタン式の連結具４ｂ，４ｃを備えている。
【００３２】
座部２は縫製により複数の領域２１〜２４に区画されている。領域２２は領域２１を取り囲んでおり、座部２の主要部をなす。領域２３、２４は領域２２の左右端部を構成し、臀部の端部を支持できる。領域２１の厚みは領域２２の厚みよりも厚くなっている。領域２３，２４の弾性反発力は領域２２の弾性反発力よりも大きくなっており、硬い感触を得られる。
【００３３】
図７に示す通り、座部２のクッション５は第１クッション５１と第２クッション５２とから構成されている。カバーシート４と第１クッション５１とが積層され縫製されて一体となっている。第１クッション５１の内側に第２クッション５２が挿入されている。これにより第１クッション５１が鞘、第２クッション５２が芯を構成する。第１クッション５１の弾性反発力は第２クッションの弾性反発力よりも弱くなっている。つまり、第１クッションは柔らかく、第２クッションは硬くなっている。
【００３４】
クッション５としては、合成樹脂高発泡体が用いられ、ポリウレタン樹脂、ポリエチレン、ポリプロピレン、ポリスチレンなどの高発泡体を１種又は２種以上積層して用いることができる。特に、適度な反発弾性が期待される部位にはポリエチレン高発泡体又はポリエチレン高発泡体から成る芯材をポリウレタン高発泡体で包んだ積層発泡体を用いることが好ましい。ポリエチレン高発泡体としては、高発泡ポリエチレンシートの製品を断裁して使用することができる。たとえば、ＪＳＰ社製ミラマット（登録商標）が例示される。ポリエチレン高発泡体としては、独立気泡で発泡倍率が１０〜６０倍（かさ密度として１５〜９２ｋｇ／ｍ３）程度の発泡体が用いられる。特に、発泡倍率が２０〜４０倍のポリエチレン高発泡体が好ましい。ポリウレタン樹脂の高発泡体としては、連続気泡型又は独立気泡型のいずれも使用することもできる。ポリエチレン高発泡体から成る芯材をポリウレタン樹脂の高発泡体から成る鞘材で包んだ積層発泡体を採用することが好ましい。
【００３５】
カバーシート４及び第１クッション５１の周端は縁取りされて縫製され、全周端が縁縫部４１となっている。座部２におけるカバーシート４は、全周端を除く内側領域に縫製部４２が設けられ、複数の領域２１〜２４に区画している（図１、図４参照）。ファスナー２９からクッション５２を挿入したり、抜き取り自在としている。
【００３６】
カバーシート４としては、多数の通気孔を有する素材であり、材質としてとくには限定されないが、各種の繊維によるメッシュ編地が好ましく、なかでも適度なクッション性を有する点でダブルラッセル立体編地を好適に採用することができる。繊維としては各種の合成繊維、天然繊維、再生繊維を用いることができるが、ナイロン繊維、ポリエステル繊維、ポリプロピレン繊維などが好ましい。
【００３７】
複数のパッド６〜８は、立方向に順次積み上げられるように連結することで、背凭れ部３を構成する。連結すべきパッド６〜８の個数が使用者により調整可能である。通常、自動車用の場合には３個、椅子用の場合には２個が想定され得るが、自動車のシートの大きさ、椅子の大きさによっては、適宜の数量を選択可能であり、２個及び３個に限定されるわけではなく、１個、又は４個以上でも構わない。
【００３８】
パッド６〜８は、概ね、左右対称の形状である。パッド６の表側は、図１、図２に示す通り、横方向に左部材面６１、中部材面６２、及び、右部材面６３に領域が縫製により分割されている。同様に、パッド７の表側は、横方向に左部材面７１、中部材面７２、及び、右部材面７３に領域が縫製により分割され、パッド８の表側は、横方向に左部材面８１、中部材面８２、及び、右部材面８３に領域が縫製により分割されている。パッド６、７、８の裏面は、連続する１つの面となっており、縫製により領域は分割されていない。パッド６〜８は、カバーシート４の表生地と裏生地とが縫製で連続的に接合されている。
【００３９】
パッド６〜８は、それぞれ、図３に示す通り、上部中央に上部凹部６４、７４、８４、下部中央に下部凹部６５、７５、８５を有している。そのため、パッド６〜８のそれぞれの中央部の高さが左右部の高さよりも低くなっていて、全体が蝶ネクタイ形状を構成している。
【００４０】
パッド６〜８は、平面視で、図４に示す通り、前側にＵ字形状に湾曲している。パッド６〜８は、側面視で、図５に示す通り、前側に弓形に湾曲している。ただし、図１１、図１５に示す通り、シート９０あるいは椅子９９がある場合には、上下方向に関しては、ほぼ平面的に展開され得る。
【００４１】
パッド６〜８は同様の蝶ネクタイ形の構造であり、おおむね、左右対称の形状である。図３、図８〜図１０に示すパッド８を取り上げて説明し、他のパッド６、７も同様であるので、説明は援用する。パッド８は、左右に、第１上傾斜側面８１ａ、第２上傾斜側面８１ｂ、第１下傾斜側面８１ｃ、第２下傾斜側面８１ｄ、前面８１ｅ（前述の通り、３つの領域に縫製によって分割されている）、後面８１ｆ（図２参照）、左右の側面にある縦面８１ｇを備えている。
【００４２】
このような構成のため、座部２とパッド６の間に隙間９ａ、パッド６とパッド７の間に隙間９ｂ、パッド７とパッド８の間に隙間９ｃが、それぞれ、形成されている。接合面の製造態様によっては、隙間９ａは、ほとんどないか、あるいは、全くない場合がある。
【００４３】
図示は略すが、隙間９ａ〜９ｃをなくした構成でもよく、この場合、パッド６〜８の上下面は密着することとなる。
【００４４】
図２に示す通り、座部２の背面の側面の縫製線に沿ってファスナー２９を設け、ポケットを開閉自在としてある。また、パッド６〜８の底面の縫製線に沿ってファスナー６９、７９、８９を設け、それぞれ、ポケットを開閉自在としてある。
【００４５】
パッド６〜８の内部構造を図８〜図１０を参照して説明するが、これらは同様の構造であるので、パッド８を取り上げて説明し、パッド６、７については説明を援用する。パッド８はカバーシート４と第１クッション５１（座部の第１クッションと同様のもの）とが積層されて縫製されることで一体化されてものである。この第１クッション５１内に第２クッション５３が挿脱自在となっている。この第２クッション５３としては、同一形状又は異形状に切り出した２種類又は３種類以上の板状のマット５３ａ、５３ｂ、５３ｃを互いに融着又は固定させることなく重ね合わせたものである。
【００４６】
マット５３ａ、５３ｂ、５３ｃとしては、それぞれ、三次元網状構造体である連続気泡ウレタン発泡体（モルトフィルタ（登録商標）、イノアックコーポレーション社製（登録商標））、ポリエチレン発泡体（ＰＥライトＺ、ＺＯＴＥＦＯＲＭＥＳ社製）、ウレタン発泡体（高通気フォーム、アキレス社製（登録商標））という３種の材質からなる板材を重ねあわせたものが挙げられるが、これに限定されるものではない。上記発泡体は弾性反発力及び通気度が相違するように設定されている。通気度が大きい方からの順番は、マット５３ａ、５３ｂ、５３ｃである。弾性反発力が小さな方、つまり、柔らない方からの順番は、マット５３ａ、５３ｂ、５３ｃである。これらの積層順序は使用者が適宜変更可能であり、頭部に接触する面の硬軟を着座者の嗜好に合わせて調整することができる。また、マットの枚数は好みに合わせた枚数でよいので、少なくとも１枚以上が収容されていればよく、反発弾性の調整も容易である。
【００４７】
シートクッション１が自動車用である場合、図２及び図５に示す通り、取付パッド１０の紐又はベルトの端部を座部２の背面に固着してあるが、分離可能に連結してもよいし、設けなくてもよい。この取付パッド１０は、パッド部はカバーシート４とクッション５を縫製で一体化した構造であり、座部２にベルト又は紐で連結されている。ベルト又は紐の長さは調整可能である。この取付パッド１０を自動車のシート９０の背凭れと座部の隙間に差し込むことで簡単に取り付けることができる。
【００４８】
第１クッション５１及び第２クッション５２としては、合成樹脂高発泡体から成るクッションを１種又は２種以上組み合わせて使用することができ、例えば、ポリウレタン樹脂の高発泡体を採用している。第２クッション５２は反発弾性が高い芯材を、それよりも反発弾性が低い鞘材である第１クッション５１で包んで構成している。本明細書において芯材及び鞘材としては、それぞれ上述した合成樹脂高発泡体から成るクッションを組み合わせて使用することができる。
【００４９】
座部２の第２クッション５２は、断面が扁平な矩形状で臀部が接する側の断面に丸みをもたせた芯材を鞘材で包んだものを採用することも可能である。
【００５０】
内部に収容する第２クッション５２としては、ＪＩＳ  Ｋ６４００−３に準拠して測定される反発弾性が第１クッション５１に比べて高いものを採用することも可能である。この材料として、ポリエチレン高発泡体（ミナフォーム（登録商標）、酒井化学工業社製）を採用し、これをポリウレタン樹脂の高発泡体（アキレス社製（登録商標））から成る第１クッション５１で包んだものを採用することも可能である。
【００５１】
次に、図１２、図１３に示す通り、背凭れ部３の上部に、主に、頭部のクッション性を向上させることを目的として頭部クッション９３を、シート９０の支柱９４に取り付けたヘッドレスト９５に装着できる。この頭部クッション９３は、図１３に示す通り、ベルト９２をバックル９１で結合することにより、ヘッドレスト９５に取り付けてある。また、頭部クッション９３の底面にはファスナーが設けられる等、頭部クッション７１の構造は、パッド６〜８と同様であるので、図示及び説明は援用する。ただし、その形状が相違し、パッド８の中部材面８２の領域を削除し、両側の左部材面８１及び右部材面８３の内側縁部を接合した形状であるので、２組のマット（合計６枚）でよい。なお、バックル９７付きのベルト９６等を用いて、シートクッション１のパッド８を支柱９４に巻きつけても良い。
【００５２】
ここでは、頭部クッション９３の中央外縁の上下部から垂直に延びるベルト９２の先端同士を連結する部材として長さ調整や着脱が可能なバックル９１を採用してもよいし、バックル９１に代えて、ベルトに設けたスナップボタンで代用してもよい。このバックル９１は、雄雌構造による脱着自在である。バックル９７も同様である。
【００５３】
シートクッション１は、その輪郭に合わせて裁断したカバーシート４を返し口のみを残して中表の状態で袋状（最終的に座部２になる袋と背凭れ部３になる袋の４つ）に縫製する。
【００５４】
座部２の場合、斯かる中表の状態のカバーシート４の全面に第１クッション５１を縫製により一体化したのち、返し口から表に返し、第２クッション５２を所定位置に挿入してカバーシート４の外側からキルティングすることによって、第２クッション５２を第１クッション５１で包み込み、位置を固定し、最後に返し口にファスナー２９を取り付けるという手順で作製することができる。
【００５５】
パッド６〜８の場合、斯かる中表の状態のカバーシート４の全面に第１クッション５１を縫製により一体化したのち、返し口から表に返し、第２クッション５３を所定位置に挿入してカバーシート４の外側からキルティングすることによって、第２クッション５３を第１クッション５１で包み込み、位置を固定し、最後に返し口にファスナー６９、７９、８９を取り付けるという手順で作製することができる。
【００５６】
全ての第１クッション５１は、シートクッション１の表裏を構成するカバーシート４の各々と一体化した一枚もののポリウレタン高発泡体をキルティングによって区画して使用したが、各領域に応じて切り分けて別々にカバーシート４と一体化していてもよい。また座部２の荷重の加わる領域については、それ以外の部分の第２クッション５２に比べて反発弾性が高いものであることが好ましい。
【００５７】
図１４、図１５に示す通り、図１の自動車用のシートクッション１のパッド８を取り外し、椅子用のシートクッション１とすることができる。逆に、図１４、図１５のシートクッション１にパッド８を取り付けることで、図１に示す自動車用のシートクッション１とすることができる。
【００５８】
図１６は、前述の座部２の変更形態であるシートクッションの座部１０２について説明する。他の構造はシートクッション１と同様であるので、説明は援用する。
【００５９】
カバーシート１０４の内面と一体化した第１クッション１５１の中に、芯棒の形状である第２クッション１５２を横方向で前後方向に挿入している。第２クッション１５２の各々は、３本の略等しい長さの板、円筒又は円柱で構成され、各板、円筒又は円柱は、分離して配置している。第２クッション１５２は、外側からキルティングされることにより、その領域内では、第１クッション１５１に包み込まれているが、第１クッション１５１と第２クッション１５２とは一体化されていないので、第１クッション１５１内における第２クッション１５２の位置及び向きは、着席者の嗜好や体型に合わせて若干の微調整が可能となっている。
【００６０】
カバーシート１０４と一体化した第１クッション１５１は２層に重ね合わせている。ここで、第２クッション１５２は、第１クッション１５１に比べて反発弾性が高くなっている。第２クッション１５２として、ポリエチレン高発泡体を採用し、第１クッション１５１として、ポリウレタン高発泡体を採用しているがこれに限定されるものではない。また、芯棒の断面形状は、扁平板、円筒形又は円柱形としたが、何らこれに限定されるものではなく、かまぼこ型、角柱、円柱、楕円柱等でもよい。
【００６１】
図１７は、前述の座部２の別の変更形態であるシートクッションの座部２０２について説明する。他の構造はシートクッション１と同様であるので、説明は援用する。まず、縫製によって区画された各領域について、第１クッション２５１の内側の総てに第２クッション２５２が挿入されている点で相違する。また、第２クッションは中空のものでもよいし、中実のものでもよい。また、多層構造でもよい。
【００６２】
以上説明したシートクッション１及び変更形態によれば、自分の体型や座席のサイズ等のニーズに合わせてクッションの高さ、硬さ、通気性を手軽にカスタマイズすることができ、それぞれの生活環境に合わせた最適な選択を行うことができる。座ることに関する個々のニーズに的確に応えることができる。必要最小限の部位を支えるコンパクトで軽量な設計であるので、例えば、女性でも軽く持ち上げることができ、車からオフィスの椅子へ楽々付け替える等、扱いが手軽にできる。
【００６３】
シートクッション１のパッド６〜８の連結数を変更することで、ドライブ、事務作業、車椅子等、生活上の様々な場面で使用が簡単になり、座ること全般に使用できる。ドライバー、事務職、車椅子の方等、１日の中で長時間に渡って座る方全般への利用が簡単になる。
【００６４】
カバーシート４が貫通通気孔を有しているために、座部２における臀部に当接する個所や背凭れ３の背筋に当接する個所での通気性が確保され、着席者の体温の発散や発汗などによる湿気の発散がスムーズに行うことができる。
【００６５】
第１クッション５１乃至第３クッションにより、体圧分散、姿勢矯正による健康への貢献が大であり、科学的な見地に基づく訴求が可能となる。さらに、姿勢を矯正が可能となり、痔などお尻にトラブルを抱えている人は痛みを緩和し、お産の後の腰まわりからお尻までの負担を軽減できる。
【００６６】
シートクッション１により、着席者が安定的に着席することができ、長時間の着座における蓄積疲労を低減できる。座る人全ての負担を軽減し、姿勢（体の軸）を矯正でき、健康でアクティブな人生を送るサポートをすることができる。
【００６７】
シートクッション１は曲面を多用する洗練されたデザインが魅力のヒューマンサポートギアである。インテリアに馴染むデザイン、装着例、ギャラリーなどの魅せる表現で訴求可能である。
【００６８】
本発明は、上述の実施の形態に限定されるものではなく、本発明の技術的思想を逸脱しない範囲において、改変等を加えることが出来るものであり、それらの改変、均等物等も本発明の技術的範囲に含まれる。
【産業上の利用可能性】
【００６９】
本発明のシートクッションは、座る人全ての負担を軽減し、姿勢（体の軸）を矯正でき、健康でアクティブな人生を送るサポートをすることができる。座ることに関する個々のニーズに的確に応えることができ、その工業的利用価値は大である。
【符号の説明】
【００７０】
１・・・シートクッション
９０・・・自動車のシート
９９・・・椅子
２・・・座部
３・・・背凭れ部
４・・・カバーシート
４ａ、４ｂ、４ｃ・・・連結具
４１・・・縁縫部
４２・・・縁縫部
６〜８・・・パッド
２１〜２４・・・領域
５・・・クッション
５１・・・第１クッション
５２・・・第２クッション
５３ａ、５３ｂ、５３ｃ・・・マット
６１、７１、８１・・・左部材面
６２、７２、８２・・・中部材面
６３、７３、８３・・・右部材面
６４、７４、８４・・・上部凹部
６５、７５、８５・・・下部凹部
８１ａ・・・第１上傾斜側面
８１ｂ・・・第２上傾斜側面
８１ｃ・・・第１下傾斜側面
８１ｄ・・・第２下傾斜側面
８１ｅ・・・前面
８１ｆ・・・後面
８１ｇ・・・縦面
９ａ、９ｂ、９ｃ・・・隙間
２９、６９、７９、８９・・・ファスナー
１０・・・取付パッド
９１・・・バックル
９２・・・ベルト
９３・・・頭部クッション
９４・・・支柱
９５・・・ヘッドレスト
９７・・・バックル
９６・・・ベルト
１０２・・・座部
１０４・・・カバーシート
１５１・・・第１クッション
１５２・・・第２クッション
２０２・・・座部
２５１・・・第１クッション
２５２・・・第２クッション
【図７】
2016043062.tif 000003
【図１６】
2016043062.tif 000004
【図１７】
2016043062.tif 000005
【図１】
2016043062.tif 000006
【図２】
2016043062.tif 000007
【図３】
2016043062.tif 000008
【図４】
2016043062.tif 000009
【図５】
2016043062.tif 000010
【図６】
2016043062.tif 000011
【図８】
2016043062.tif 000012
【図９】
2016043062.tif 000013
【図１０】
2016043062.tif 000014
【図１１】
2016043062.tif 000015
【図１２】
2016043062.tif 000016
【図１３】
2016043062.tif 000017
【図１４】
2016043062.tif 000018
【図１５】
2016043062.tif 000019